(57)【要約】  【課題】    同一の棒体上に２つの約９０度の挟角を呈するデンタルフロス部を設け、口腔内の異なる角度を呈する歯間に合わせて適切な角度のデンタルフロス部を選択して用いることができ、大きな把持面積を持ち使用者が握りやすく施力と操作に便利で、製品の材料原価を抑えることができる、柄付きデンタルフロスの提供。 【解決手段】    柄付きデンタルフロスの把持部両端にデンタルフロス部をそれぞれ設け、該デンタルフロス部は把持部と一体成型された糸張部上の開口部に、金型成型でデンタルフロスを緊張し、且つ、該２つのデンタルフロス部の糸張部開口部が相互に対し約９０度の挟角を呈することを特徴とする。  【選択図】    図３
0003109875.tif 000002
【実用新案登録請求の範囲】
【請求項１】
主に、把持部及びデンタルフロス部を含んで成り、そのうち、該把持部の両端に糸張部をそれぞれ設け、該２つの糸張部の開口部にデンタルフロスをそれぞれ緊張し、且つ、該２つの糸張部の開口部が相互に約９０度の挟角を呈することを特徴とする、柄付きデンタルフロス。
【請求項２】
前記デンタルフロスと把持部の棒体の軸線が水平を呈する糸張部の外側の糸張フレームを外方向に傾斜した形状とする、請求項１に記載の柄付きデンタルフロス。
【請求項３】
前記デンタルフロスと把持部の棒体の軸線が垂直を呈する糸張部において、該糸張部両側の糸張フレーム間の開口部内側に連結棒を設けた、請求項１に記載の柄付きデンタルフロス。
【考案の詳細な説明】
【技術分野】
【０００１】
本考案は柄付きデンタルフロスに関し、詳細には、２つのデンタルフロス部を備え、人体工学に符合し把持と施力が容易で、各歯と歯間の位置・角度に応じて適切なデンタルフロス部を選択して使用できる、柄付きデンタルフロスに関する。
【背景技術】
【０００２】
一般的な従来の柄付きデンタルフロスは、図６に示すように、主に把持部ａ及びデンタルフロス部ｂを含んで成り、該把持部ａはプラスチック製の細長い形状の棒体であり、該デンタルフロス部ｂは該把持部ａの一端に糸張部ｃを形成し、該糸張部ｃの開口端に金型成型でデンタルフロスｄを緊張し、該糸張部ｃの開口方向が該把持部ａの棒体の軸線に対して垂直を呈するものである。
【０００３】
このような従来の柄付きデンタルフロスの構造には、以下のような欠点がある。まず、該デンタルフロスｄと把持部ａの棒体の軸線がほぼ一直線を呈しており、口腔内の臼歯間の歯間は口腔前後に対しほぼ垂直（横向き）に排列しているため、該従来の柄付きデンタルフロスを口腔前方から後ろへ向かって伸入させるとき、該従来の柄付きデンタルフロスのデンタルフロス部ｂは、該デンタルフロスｄを歯間に嵌入し往復させたり上下に摩擦させたりして使用することが困難であり、歯間を充分に清掃することが難しい。次に、該従来の柄付きデンタルフロスの把持部ａは、細長い形状の棒体であるため、把持と施力がしにくい。このため、上述のような従来の柄付きデンタルフロスの構造は改良が必要である。
【考案の開示】
【考案が解決しようとする課題】
【０００４】
本考案は、上述の従来の柄付きデンタルフロスにおける構造上の欠点に鑑みて、考案者の歯科医療事業における長年の経験に基づき研究を重ね、斬新な柄付きデンタルフロスを提供するものである。
【０００５】
本考案の主な目的は、同一の棒体上に２つの約９０度の挟角を呈するデンタルフロス部を設け、口腔内の異なる角度を呈する各歯間に合わせて適切な角度のデンタルフロス部を選択して用い歯間の清掃を行う柄付きデンタルフロスを提供することにある。
【０００６】
本考案の別の目的は、把持部に比較的大きな把持面積を持たせ、使用者が握りやすく、施力と操作に便利な柄付きデンタルフロスを提供することにある。
【０００７】
本考案のさらに別の目的は、同一の棒体の両端にデンタルフロス部をそれぞれ設け、製品の材料原価を抑えることができる、柄付きデンタルフロスを提供することにある。
【課題を解決するための手段】
【０００８】
上述の目的を達するため、本考案は主に柄付きデンタルフロスの把持部両端にデンタルフロス部をそれぞれ設け、該デンタルフロス部は把持部と一体成型された糸張部上の開口部に、金型成型でデンタルフロスを緊張し、且つ、該２つのデンタルフロス部の糸張部開口部が相互に対し約９０度の挟角を呈することを特徴とする。
【考案の効果】
【０００９】
上述の構造により、同一の把持部の棒体上に設けた２つのデンタルフロス部を使用することができ、その製造原価を抑えることができるだけでなく、該柄付きデンタルフロスは前歯と奥歯等の歯間位置と角度の違いに合わせ、適切な角度のデンタルフロス部を選択して使用することができ、製品の使用効果を増進することができる。このほか、該柄付きデンタルフロスの使用時には、使用するデンタルフロス部とは別の一端を握ることになり、本考案は使用しない方のデンタルフロス部の糸張部を把持部と合わせて握ることで、該糸張部の構造面積が中間部分の細長い棒状の把持部よりはるかに大きいため、把持と施力、操作がしやすく、使用上より便利である。
【考案を実施するための最良の形態】
【００１０】
本考案の柄付きデンタルフロスの技術的特徴と効果について、以下、材料の実施例と図面に基づき、詳細に説明する。
【００１１】
まず図１から図３に本考案の実施例１及び２を示す。本考案の柄付きデンタルフロスは主に、把持部１０及びデンタルフロス部２１、２２から構成される。そのうち、該把持部１０の両端に糸張部１１、１２をそれぞれ設け、該２つの糸張部１１、１２の開口部にデンタルフロス１３をそれぞれ緊張して固定し、且つ、該２つの糸張部１１、１２の開口部は相互に約９０度の挟角を呈する（図１の実施例１または図３の実施例２を参照）ことを特徴とする。
【００１２】
上述の構造により、前記デンタルフロス１３と把持部１０の棒体の軸線と水平を呈する方向に設けた糸張部１１は、その外側の糸張フレーム１１１を外方向へ傾斜させた形状に設け、これにより、該外方向に傾斜を備えた糸張フレーム１１１は、図４に示すように、上下顎前歯舌側歯茎部分のプラーク清掃に適しており、使用上便利であると共に該デンタルフロス部２１の前後移動距離を増長でき、上下顎前歯部分舌側のプラーク清掃が容易にできる。また、デンタルフロス１３と把持部１０の棒体の軸線とほぼ垂直を呈する方向に設けた糸張部１２は、該糸張部１２の糸張フレーム間の開口部内側に連結棒１２１を設けてもよく、これにより、該連結棒１２１が該糸張部１２の構造強度を向上し、またこの部位の面積を増加して握りやすくすることができる。
【００１３】
上述の構造により、同一の把持部１０の棒体上に設けた２つのデンタルフロス部２１、２２を使用できるため、該棒体の材料及び製造原価を低く抑えることができ、また、２つのデンタルフロス部２１、２２の糸張部１１、１２の開口方向が異なる（相互に約９０度を呈する状態）ため、図５のように、該柄付きデンタルフロスは前歯と奥歯等の歯間位置と角度の違いに合わせ、適切な角度のデンタルフロス部２１または２２を選択して使用することができ、握りやすいだけでなく、最高の清掃効果を得ることができる。このほか、該柄付きデンタルフロスはその使用時において、使用者が使用するデンタルフロス部２１または２２とは別の一端を握ることになり、本考案は該把持部に加え、使用しない側のデンタルフロス部２２または２１の糸張部の構造を備えており、これら糸張部１１、１２の構造面積は中間の棒体部分よりはるかに大きく（例：糸張部１１は棒体の軸線に対し約９０度に湾曲した略Ｆ字形を呈し、糸張部１２は棒体の軸線末端を後方に分岐させて延伸した略Ｙ字形を呈する）、該糸張部１１または１２がちょうど握り位置にあることから、該柄付きデンタルフロスは把持と施力及び操作がしやすく、使用上の利便性が高い。
【００１４】
上述のように、本考案の構造は確実にコストを下げることができ、操作使用に便利であり、且つ、歯間の清掃における死角をなくすことができ、実用新案登録出願の要件を満たしているため、法の規定に基づきここに実用新案登録を出願するものである。また、上述の各実施例は本考案の実施可能な例の一部を示したものであり、本考案の効果と同等の効果を得られる変化もすべて本考案に含まれるものとする。
【図面の簡単な説明】
【００１５】
【図１】本考案の実施例１を示す平面図である。
【図２】図１の立体斜視図である。
【図３】本考案の実施例２を示す平面図である。
【図４】本考案の使用状態を示す模式図である。
【図５】本考案の別の使用状態を示す模式図である。
【図６】従来の柄付きデンタルフロスの構造を示す平面図である。
【符号の説明】
【００１６】
１０        把持部
１１、１２    糸張部
１３        デンタルフロス
１１１      糸張フレーム
１２１      連結棒
２１、２２    デンタルフロス部
【図１】
0003109875.tif 000003
【図２】
0003109875.tif 000004
【図３】
0003109875.tif 000005
【図４】
0003109875.tif 000006
【図５】
0003109875.tif 000007
【図６】
0003109875.tif 000008